(57)【要約】【課題】  本発明は、乗用車等において、車室内に設置した飲料缶用ホルダー内底部にセラミックＰＴＣヒーターを設置して飲料缶を加温することができるセラミックＰＴＣヒーターを使用した車載用加温器を提供するものである。【解決手段】  本発明の車載用加温器は、コーヒー等の飲料缶を収納することができる直径及び高さの有底円筒体ホルダー１と、該有底円筒体ホルダー１の内底部に設置され、車両のシガライター用差し込み口に接続されるコネクタ２を有する発熱体３とから構成されるものにおいて、前記発熱体３は、一定温度に加熱することができるセラミックＰＴＣヒーター５と、該セラミックＰＴＣヒーター５をサンドイッチ状に挟んで積層するアルミ金属製の突出円形状の飲料缶載置面を形成する−電極板６及び＋電極板７と、該＋−電極板６，７を分離状に絶縁保持する耐熱絶縁樹脂９とからなるものである。【選択図】  図１
2006137356.tif 000002
【特許請求の範囲】
【請求項１】
コーヒー等の飲料缶を収納することができる直径及び高さの有底円筒体ホルダーと、該有底円筒体ホルダーの内底部に設置され、車両のシガライター用差し込み口に接続されるコネクタを有する発熱体とから構成される車載用加温器において、前記発熱体は、一定温度に加熱することができるセラミックＰＴＣヒーターと、該セラミックＰＴＣヒーターをサンドイッチ状に挟んで積層するアルミ金属製の突出円形状の飲料缶載置面を形成する−電極板及び＋電極板と、該＋−電極板を分離状に絶縁保持する耐熱絶縁樹脂とからなることを特徴とするセラミックＰＴＣヒーターを使用した車載用加温器。
【発明の詳細な説明】
【技術分野】
【０００１】
本発明は、乗用車等の車室内に設置した飲料缶用ホルダー内底部にヒーターを設置して飲料缶を加温することができるセラミックＰＴＣヒーターを使用した車載用加温器に関する。
【背景技術】
【０００２】
乗用車等の車室内で缶コーヒー等を飲むために飲料缶を保持するための缶ホルダーが設けられていたり、又は缶ホルダーが取り付けされている。
従来、乗用車等で飲料缶を加温したり、冷却したりするために空調空気の吹出し口に缶ホルダーを設けるものもあったが、設置場所が限定されるし、且つ使い勝手が悪かった(特許文献１を参照)。
そこで、場所を取らず且つ使い勝手が良く、安全なセラミックＰＴＣヒーターを利用した缶ホルダーにおける加温器が望まれていた(特許文献２を参照)。
【０００３】
【特許文献１】特開平１１−１３９１４２号公報
【特許文献２】特開平８−２８２３５７号公報
【発明の開示】
【発明が解決しようとする課題】
【０００４】
本発明は、缶ホルダーが設けられていたり、又は缶ホルダーが取り付けされている乗用車等において、車室内に設置した飲料缶用ホルダー内底部にセラミックＰＴＣヒーターを設置して飲料缶を加温することができるセラミックＰＴＣヒーターを使用した車載用加温器を提供するものである。
【課題を解決するための手段】
【０００５】
本発明のセラミックＰＴＣヒーターを使用した車載用加温器は、コーヒー等の飲料缶を収納することができる直径及び高さの有底円筒体ホルダーと、該有底円筒体ホルダーの内底部に設置され、車両のシガライター用差し込み口に接続されるコネクタを有する発熱体とから構成されるものにおいて、前記発熱体は、一定温度に加熱することができるセラミックＰＴＣヒーターと、該セラミックＰＴＣヒーターをサンドイッチ状に挟んで積層するアルミ金属製の突出円形状の飲料缶載置面を形成する−電極板及び＋電極板と、該＋−電極板を分離状に絶縁保持する耐熱絶縁樹脂とからなるものである。
【発明の効果】
【０００６】
本発明のセラミックＰＴＣヒーターを使用した車載用加温器によれば、ＰＴＣ特性を利用して、すなわちキューリー点８０℃のＰＴＣを使用して一定温度で加温する（８０℃以上にはならない）ので、過加温による缶内面メッキからの毒性物質抽出を防止することができる。
また、本発明のセラミックＰＴＣヒーターを使用した車載用加温器によれば、アルミ金属製の−電極板は、飲料缶より小径に形成されてセラミックＰＴＣヒーターの上面に接着され、突出円形状の飲料缶載置面を形成するので、必ず飲料缶の底面に面接触させることができる。
【発明を実施するための最良の形態】
【０００７】
以下、本発明の一実施例を図面に基づいて説明すると、
本発明のセラミックＰＴＣヒーターを使用した車載用加温器は、図１の断面図に示すように、コーヒー等の飲料缶４を収納することができる直径及び高さの有底円筒体ホルダー１と、該有底円筒体ホルダー１の内底部に設置され、車両のシガライター用差し込み口に接続されるコネクタ２を有する発熱体３とから構成される。
前記有底円筒体ホルダー１は、飲料缶４の大きさに合わせて決められ、全体をプラスチックにより一体成形されて車室内に取付けできる付属器具により缶ホルダーとして利用される。
なお、缶ホルダーの大きさは、飲料缶４の直径と高さによって多種類に分類されるが、前記有底円筒体ホルダー１の直径は大きめの缶サイズに合わせると共に前記有底円筒体ホルダー１の高さは低めの缶サイズに合わせて形成することにより、多種類の飲料缶４に対応することができる。
前記発熱体３は、一定温度に加熱することができるセラミックＰＴＣヒーター５と、該セラミックＰＴＣヒーター５をサンドイッチ状に挟んで積層するアルミ金属製の突出円形状の飲料缶載置面を形成する−電極板６及び＋電極板７と、該＋−電極板６、７を分離状に絶縁保持する耐熱絶縁樹脂９とからなる。
【０００８】
前記セラミックＰＴＣヒーター５は、ＰＴＣ特性を利用して、すなわちキューリー点８０℃のＰＴＣを使用して一定温度で加温し（８０℃以上にはならない）、過加温による缶内面メッキからの毒性物質抽出を防止することができる。
また、前記セラミックＰＴＣヒーター５の形状は、矩形状であって、前記有底円筒体ホルダー１の形状に合わせて円形状にする必要はなく、前記アルミ金属製の＋−電極板６、７に接着剤等により固着される。
図２に示すように、前記アルミ金属製の−電極板６は、飲料缶４の底面に必ず接触することができるように飲料缶４より小径に形成され、−電極板６はセラミックＰＴＣヒーター５の上面に接着され、突出円形状の飲料缶載置面を形成する。
図３に示すように、前記アルミ金属製の＋電極板７は、セラミックＰＴＣヒーター５の下面に接着され、波板スプリング８を介して耐熱絶縁樹脂９の凹部に取付けられ、−電極板６固定用折曲端子の折曲げ時に波板スプリング８を加圧する形で固定される。
なお、前記波板スプリング８は、前記セラミックＰＴＣヒーター５と＋−電極板６、７とを圧接するために設けるが、前記セラミックＰＴＣヒーター５と＋−電極板６、７との固定接着並びに固定固着なしでの接触確保と飲料缶を置いた時の衝撃緩衝の意味を持つ。
【０００９】
前記耐熱絶縁樹脂９は、前記有底円筒体ホルダー１内底部に収納されるように前記有底円筒体ホルダー１の形状に合わせて円盤状に形成され、中央に波板スプリング８を収納する凹部を形成し、該凹部の一隅に＋電極板７の出力端子を導出する切欠きを形成する。
さらに、前記波板スプリング８凹部の外側に−電極板６周縁を嵌合させる同心円状に環状溝を形成すると共に該環状溝の一隅に−電極板６の出力端子を導出する切欠きを形成する。
なお、前記−電極板６を前記耐熱絶縁樹脂９の環状溝に取付け時に、前記環状溝にシリコン接着剤１０を充填することで飲料がこぼれた時にも前記切欠きから内部に侵入せずショートの危険を防ぐことができる。
図１に示すように前記耐熱絶縁樹脂９の前記切欠きから導出された前記＋−電極板６、７の出力端子には、固定用折曲端子及び車両のシガライター用差し込みコネクタ２に接続される電線コードが接続される。
自動車用車載バッテリーはＤＣ１２Ｖ（乗用車用）やＤＣ２４Ｖ（貨物車両用）であり、前記コネクタ２から前記発熱体３に供給されてセラミックＰＴＣヒーター５の電源となる。
【００１０】
次に、本発明のセラミックＰＴＣヒーターを使用した車載用加温器の作用について、以下図面に基づいて説明する。
乗用車等の車室内で缶コーヒー等を飲むために飲料缶４を保持するための缶ホルダーが設けられていたり、又は缶ホルダーが取り付けされている
まず、図１に示すように、前記缶ホルダー内、すなわち有底円筒体ホルダー１の内底部に発熱体３を挿入する。
なお、予め有底円筒体ホルダー１の底部に発熱体３を有する缶ホルダーを形成しても良い。
そして、シガライター用差し込みコネクタ２をシガライター用差し込み口に挿入して電源ＤＣ１２Ｖ（乗用車用）が接続される。
前記発熱体３は、セラミックＰＴＣヒーター５から構成されているので、キューリー点８０℃の一定温度で加温する（８０℃以上にはならない）。
この缶ホルダーに飲料缶４を収納すると、８０℃以上にはならないので過加温による缶内面メッキからの毒性物質抽出を防止することができる。
また、前記飲料缶４の底部には、発熱体３の突出円形状の飲料缶載置面を形成する−電極板６が接触しているので車体と同電位となっているから安全である。
【図面の簡単な説明】
【００１１】
【図１】本発明のセラミックＰＴＣヒーターを使用した車載用加温器の断面図である。
【図２】本発明の発熱体の要部拡大平面図である。
【図３】本発明の発熱体の要部拡大断面図である。
【符号の説明】
【００１２】
１  有底円筒体ホルダー
２  コネクタ
３  発熱体
４  飲料缶
５  セラミックＰＴＣヒーター
６  −電極板
７  ＋電極板
８  波板スプリング
９  耐熱絶縁樹脂
１０  シリコン接着剤
【図１】
2006137356.tif 000003
【図２】
2006137356.tif 000004
【図３】
2006137356.tif 000005